(57)【要約】【課題】目的地を選定した選択地図とその選択地図を含む広域地図を表示する複数ページからなる地図帖の生成方法、及びその地図帖の生成システムを提供することを目的とする。【解決手段】第１のコンピュータ（３０）から、目的地を検索することで地図情報テーブルから選択された選択地図情報を受信するステップと、１枚の用紙データ内の分割領域のいずれかに、前記選択地図情報を配置することにより地図帖情報を生成するステップと、第２のコンピュータ（２０）から、地図帖情報を第１のコンピュータ（３０）に送信するステップと、第１のコンピュータで受信した地図帖情報をプリンタで出力するステップとを有する。【選択図】図１０
2008275680.tif 000002
【特許請求の範囲】
【請求項１】
プリンタに接続される第１のコンピュータ、及び、該第１のコンピュータに接続され且つ複数の縮尺で地図情報を出力するための地図情報テーブルを記憶する記憶部及び処理部を有する第２のコンピュータにおける地図帖生成方法であって、
前記第１のコンピュータから、目的地を検索することで前記地図情報テーブルから選択された選択地図情報を受信するステップと、
前記処理部が、１枚の用紙データ内の分割領域のいずれかに、前記選択地図情報を配置するステップであって、該分割領域は、該１枚の用紙データを長手方向に順番に分割するＮ［Ｎ：３以上の奇数］個の長手分割線及び該１枚の用紙データを横手方向に分割する横手分割線により前記１枚の用紙データ上に形成され、前記配置は前記横手分割線を境界線として前記選択地図情報を上下逆に配置するものであり、
前記第２のコンピュータから、前記地図帖情報を前記第１のコンピュータに送信するステップと、
前記第１のコンピュータで受信した前記地図帖情報を前記プリンタで出力するステップと、
を有することを特徴とする方法。
【請求項２】
前記配置ステップ前又は後に、前記処理部が、前記１枚の用紙データを複数ページに分割するための線情報を生成するステップであって、該線情報は、該１枚の用紙データを長手方向に順番に分割するＮ［Ｎ：３以上の奇数］個の長手分割線、横手分割線、及び切り込み線を有し、長手方向奇数個目の長手分割線は谷折りによりページ分割し、長手方向偶数個目の長手分割線は山折りによりページ分割し、該横手分割線は該１枚の用紙データを横手方向に山折りで２分割し、該切り込み線は該横手分割線と長手方向１個目及び長手方向Ｎ個目の長手分割線の交差点間の線分を切り込むものである請求項１に記載の方法。
【請求項３】
前記選択地図情報は、縮尺の異なる複数の地図情報を含む請求項１又は２に記載の方法。
【請求項４】
前記選択地図情報は、出発地、前記目的地及び出発地を含む全体地図、出発地の詳細図、目的地の詳細図を含み、
前記配置ステップは、前記全体地図、出発地の詳細図、目的地の詳細図を少なくとも1つ配置する請求項１〜３のいずれか一項に記載の方法。
【請求項５】
プリンタに接続され且つ複数の縮尺で地図情報を出力するための地図情報テーブルを記憶する記憶部、入力部及び処理部を有するコンピュータにおける地図帖生成方法であって、
前記入力部から、目的地を検索することで前記地図情報テーブルから選択された選択地図情報を取得するステップと、
前記処理部が、１枚の用紙データ内の分割領域のいずれかに、前記選択地図情報を配置するステップであって、該分割領域は、該１枚の用紙データを長手方向に順番に分割するＮ［Ｎ：３以上の奇数］個の長手分割線及び該１枚の用紙データを横手方向に分割する横手分割線により前記１枚の用紙データ上に形成され、前記配置は前記横手分割線を境界線として前記選択地図情報を上下逆に配置するものであり、
前記プリンタで前記地図帖情報を出力するステップと、
を有することを特徴とする方法。
【請求項６】
前記配置ステップ前又は後に、前記処理部が、前記１枚の用紙データを複数ページに分割するための線情報を生成するステップであって、該線情報は、該１枚の用紙データを長手方向に順番に分割するＮ［Ｎ：３以上の奇数］個の長手分割線、横手分割線、及び切り込み線を有し、長手方向奇数個目の長手分割線は谷折りによりページ分割し、長手方向偶数個目の長手分割線は山折りによりページ分割し、該横手分割線は該１枚の用紙データを横手方向に山折りで２分割し、該切り込み線は該横手分割線と長手方向１個目及び長手方向Ｎ個目の長手分割線の交差点間の線分を切り込むものである請求項５に記載の方法。
【請求項７】
前記選択地図情報は、縮尺の異なる複数の地図情報を含む請求項５又は６に記載の方法。
【請求項８】
前記選択地図情報は、出発地、前記目的地及び出発地を含む全体地図、出発地の詳細図、目的地の詳細図を含み、
前記配置ステップは、前記全体地図、出発地の詳細図、目的地の詳細図を少なくとも1つ配置する請求項５〜７のいずれか一項に記載の方法。
【請求項９】
プリンタに接続される第１のコンピュータ、及び、該第１のコンピュータに接続され且つ複数の縮尺で地図情報を出力するための地図情報テーブルを記憶する記憶部及び処理部を有する第２のコンピュータにおける地図帖生成システムであって、
前記第１のコンピュータから、目的地を検索することで前記地図情報テーブルから選択された選択地図情報を受信する選択地図情報受信手段と、
前記処理部が、１枚の用紙データ内の分割領域のいずれかに、前記選択地図情報を配置する選択地図情報配置手段であって、該分割領域は、該１枚の用紙データを長手方向に順番に分割するＮ［Ｎ：３以上の奇数］個の長手分割線及び該１枚の用紙データを横手方向に分割する横手分割線により前記１枚の用紙データ上に形成され、前記配置は前記横手分割線を境界線として前記選択地図情報を上下逆に配置するものであり、
前記第２のコンピュータから、前記地図帖情報を前記第１のコンピュータに送信する地図帖情報送信手段と、
前記第１のコンピュータで受信した前記地図帖情報を前記プリンタで出力する地図帖情報出力手段と、
を有することを特徴とする地図帖生成システム。
【請求項１０】
プリンタに接続され且つ複数の縮尺で地図情報を出力するための地図情報テーブルを記憶する記憶部、入力部及び処理部を有するコンピュータにおける地図帖生成システムであって、
前記入力部から、目的地を検索することで前記地図情報テーブルから選択された選択地図情報を取得する選択地図情報取得手段と、
前記処理部が、１枚の用紙データ内の分割領域のいずれかに、前記選択地図情報を配置する選択地図情報配置手段であって、該分割領域は、該１枚の用紙データを長手方向に順番に分割するＮ［Ｎ：３以上の奇数］個の長手分割線及び該１枚の用紙データを横手方向に分割する横手分割線により前記１枚の用紙データ上に形成され、前記配置は前記横手分割線を境界線として前記選択地図情報を上下逆に配置するものであり、
前記プリンタで前記地図帖情報を出力する地図帖情報出力手段と、
を有することを特徴とする地図帖生成システム。
【請求項１１】
プリンタに接続され且つ複数の縮尺で地図情報を出力するための地図情報テーブルを記憶する記憶部、入力部及び処理部を有するコンピュータを、
前記入力部から、目的地を検索することで前記地図情報テーブルから選択された選択地図情報を取得する選択地図情報取得手段、
前記処理部が、１枚の用紙データ内の分割領域のいずれかに、前記選択地図情報を配置する選択地図情報配置手段であって、該分割領域は、該１枚の用紙データを長手方向に順番に分割するＮ［Ｎ：３以上の奇数］個の長手分割線及び該１枚の用紙データを横手方向に分割する横手分割線により前記１枚の用紙データ上に形成され、前記配置は前記横手分割線を境界線として前記選択地図情報を上下逆に配置するものであり、
前記プリンタで前記地図帖情報を出力する地図帖情報出力手段、
として機能させることを特徴とする地図帖生成プログラム。
【発明の詳細な説明】
【技術分野】
【０００１】
本発明は、地図帖生成方法、及び地図帖生成システムに関し、特に、目的地を選定した選択地図とその選択地図を含む広域地図を表示する複数ページからなる地図帖の生成方法、地図帖の生成システム、及び地図帖生成プログラムに関する。
【背景技術】
【０００２】
近年、地図情報を利用するユーザは、書籍としての携帯地図を利用するより、市販の地図ソフトウェアを使用して、あるいはインターネットを介して地図情報を提供するＷｅｂサービスで目的地を検索し、検索結果の出力紙を携帯して地図を利用する機会が増えている。
【０００３】
これは、地図ソフトウェアやＷｅｂサービスが提供する目的地の検索機能が、書籍としての地図帖を利用するより容易、常に最新の地図情報にアクセス可能、また、必要な地図情報だけを容易に携帯可能等の理由のためである。
しかしながら、地図ソフトウェアやＷｅｂサービスを利用して出力される地図情報は、特定縮尺の目的地を含む１枚の出力地図であって地図情報が限定されているため、ユーザは、複数の縮尺で複数枚の出力地図を予め用意する必要があり、地図ソフトウェアやＷｅｂサービスを利用した出力地図の利点である携帯性や利用性が損なわれるという問題があった。
【発明の開示】
【発明が解決しようとする課題】
【０００４】
そこで、本発明は、目的地を選定した選択地図とその選択地図を含む広域地図を表示する複数ページからなる地図帖の生成方法、及びその地図帖の生成システムを提供することを目的とする。
【０００５】
さらに、本発明は、オンデマンドで複数の地図情報を含む地図帖を生成することができるため、地図帖に含まれる位置情報に関連する広告やレストランクーポン券等を掲載することで地図帖の利用性を高めることが出来る。
【０００６】
また、本発明は、ユーザが指定したルートを地図上に表示することで道案内に適した関連情報を、地図上に生成することで、地図帖の利用性を高めることが出来る。
【０００７】
また、本発明は、鉄道乗り換え案内を掲載することで、徒歩ルート＆乗り換え案内によるナビゲーション紙地図が可能となる。
【０００８】
さらに、本発明は、携帯電話から現在位置付近の地図を印刷するよう要求した後、付近のコンビニエンスストアで地図を受け取る等の利用も可能となる。
【課題を解決するための手段】
【０００９】
そこで上記の目的を達成するために、本願発明に係る地図帖生成方法は、プリンタに接続される第１のコンピュータ、及び、該第１のコンピュータに接続され且つ複数の縮尺で地図情報を出力するための地図情報テーブルを記憶する記憶部及び処理部を有する第２のコンピュータにおける地図帖生成方法であって、第１のコンピュータから、目的地を検索することで地図情報テーブルから選択された選択地図情報を受信するステップと、処理部が、１枚の用紙データ内の分割領域のいずれかに、選択地図情報を配置するステップであって、該分割領域は、該１枚の用紙データを長手方向に順番に分割するＮ［Ｎ：３以上の奇数］個の長手分割線及び該１枚の用紙データを横手方向に分割する横手分割線により１枚の用紙データ上に形成され、配置は横手分割線を境界線として選択地図情報を上下逆に配置するものであり、第２のコンピュータから、地図帖情報を第１のコンピュータに送信するステップと、第１のコンピュータで受信した地図帖情報をプリンタで出力するステップと、を有することを特徴とする。
【００１０】
また、上記の目的を達成するために、本願発明に係る地図帖生成方法は、プリンタに接続され且つ複数の縮尺で地図情報を出力するための地図情報テーブルを記憶する記憶部、入力部及び処理部を有するコンピュータにおける地図帖生成方法であって、入力部から、目的地を検索することで地図情報テーブルから選択された選択地図情報を取得するステップと、処理部が、１枚の用紙データ内の分割領域のいずれかに、選択地図情報を配置するステップであって、該分割領域は、該１枚の用紙データを長手方向に順番に分割するＮ［Ｎ：３以上の奇数］個の長手分割線及び該１枚の用紙データを横手方向に分割する横手分割線により１枚の用紙データ上に形成され、配置は横手分割線を境界線として選択地図情報を上下逆に配置するものであり、プリンタで地図帖情報を出力するステップと、を有することを特徴とする。
【００１１】
さらに、地図帖作成方法は、上記配置ステップ前又は後に、処理部が、１枚の用紙データを複数ページに分割するための線情報を生成するステップであって、該線情報は、該１枚の用紙データを長手方向に順番に分割するＮ［Ｎ：３以上の奇数］個の長手分割線、横手分割線、及び切り込み線を有し、長手方向奇数個目の長手分割線は谷折りによりページ分割し、長手方向偶数個目の長手分割線は山折りによりページ分割し、該横手分割線は該１枚の用紙データを横手方向に山折りで２分割し、該切り込み線は該横手分割線と長手方向１個目及び長手方向Ｎ個目の長手分割線の交差点間の線分を切り込むことが好ましい。
【００１２】
さらに、上記選択地図情報は、縮尺の異なる複数の地図情報、出発地、目的地及び出発地を含む全体地図、出発地の詳細図、目的地の詳細図を含み、配置ステップは、全体地図、出発地の詳細図、目的地の詳細図を少なくとも１つ配置することが好ましい。
【００１３】
さらに、上記の目的を達成するために、本願発明に係る地図帖生成システムは、プリンタに接続される第１のコンピュータ、及び、該第１のコンピュータに接続され且つ複数の縮尺で地図情報を出力するための地図情報テーブルを記憶する記憶部及び処理部を有する第２のコンピュータにおける地図帖生成システムであって、第１のコンピュータから、目的地を検索することで地図情報テーブルから選択された選択地図情報を受信する選択地図情報受信手段と、処理部が、１枚の用紙データ内の分割領域のいずれかに、選択地図情報を配置する選択地図情報配置手段であって、該分割領域は、該１枚の用紙データを長手方向に順番に分割するＮ［Ｎ：３以上の奇数］個の長手分割線及び該１枚の用紙データを横手方向に分割する横手分割線により１枚の用紙データ上に形成され、配置は横手分割線を境界線として選択地図情報を上下逆に配置するものであり、第２のコンピュータから、地図帖情報を第１のコンピュータに送信する地図帖情報送信手段と、第１のコンピュータで受信した地図帖情報をプリンタで出力する地図帖情報出力手段と、を有することを特徴とする。
【００１４】
また、上記の目的を達成するために、本願発明に係る地図帖生成システムは、プリンタに接続され且つ複数の縮尺で地図情報を出力するための地図情報テーブルを記憶する記憶部、入力部及び処理部を有するコンピュータにおける地図帖生成システムであって、入力部から、目的地を検索することで地図情報テーブルから選択された選択地図情報を取得する選択地図情報取得手段と、処理部が、１枚の用紙データ内の分割領域のいずれかに、選択地図情報を配置する選択地図情報配置手段であって、該分割領域は、該１枚の用紙データを長手方向に順番に分割するＮ［Ｎ：３以上の奇数］個の長手分割線及び該１枚の用紙データを横手方向に分割する横手分割線により１枚の用紙データ上に形成され、配置は横手分割線を境界線として選択地図情報を上下逆に配置するものであり、プリンタで地図帖情報を出力する地図帖情報出力手段と、を有することを特徴とする。
【００１５】
さらに、地図帖作成システムは、上記選択地図情報配置手段の実行前又は後に、処理部が、１枚の用紙データを複数ページに分割するための線情報を生成する線情報生成手段であって、該線情報は、該１枚の用紙データを長手方向に順番に分割するＮ［Ｎ：３以上の奇数］個の長手分割線、横手分割線、及び切り込み線を有し、長手方向奇数個目の長手分割線は谷折りによりページ分割し、長手方向偶数個目の長手分割線は山折りによりページ分割し、該横手分割線は該１枚の用紙データを横手方向に山折りで２分割し、該切り込み線は該横手分割線と長手方向１個目及び長手方向Ｎ個目の長手分割線の交差点間の線分を切り込むもの、を有することが好ましい。
また、上記選択地図情報は、縮尺の異なる複数の地図情報、出発地、目的地及び出発地を含む全体地図、出発地の詳細図、目的地の詳細図を含み、配置ステップは、全体地図、出発地の詳細図、目的地の詳細図を少なくとも１つ配置することが好ましい。
【００１６】
さらに、上記の目的を達成するために、本願発明に係る地図帖生成プログラムは、プリンタに接続され且つ複数の縮尺で地図情報を出力するための地図情報テーブルを記憶する記憶部、入力部及び処理部を有するコンピュータを、入力部から、目的地を検索することで地図情報テーブルから選択された選択地図情報を取得する選択地図情報取得手段、処理部が、１枚の用紙データ内の分割領域のいずれかに、選択地図情報を配置する選択地図情報配置手段であって、該分割領域は、該１枚の用紙データを長手方向に順番に分割するＮ［Ｎ：３以上の奇数］個の長手分割線及び該１枚の用紙データを横手方向に分割する横手分割線により１枚の用紙データ上に形成され、配置は横手分割線を境界線として選択地図情報を上下逆に配置するものであり、プリンタで地図帖情報を出力する地図帖情報出力手段、として機能させることを特徴とする。
【００１７】
さらに、地図帖作成プログラムは、上記選択地図情報取得手段の実行前又は後に、処理部が、１枚の用紙データを複数ページに分割するための線情報を生成する線情報生成手段であって、該線情報は、該１枚の用紙データを長手方向に順番に分割するＮ［Ｎ：３以上の奇数］個の長手分割線、横手分割線、及び切り込み線を有し、長手方向奇数個目の長手分割線は谷折りによりページ分割し、長手方向偶数個目の長手分割線は山折りによりページ分割し、該横手分割線は該１枚の用紙データを横手方向に山折りで２分割し、該切り込み線は該横手分割線と長手方向１個目及び長手方向Ｎ個目の長手分割線の交差点間の線分を切り込むもの、を有することが好ましい。
また、上記選択地図情報は、縮尺の異なる複数の地図情報、出発地、目的地及び出発地を含む全体地図、出発地の詳細図、目的地の詳細図を含み、配置ステップは、全体地図、出発地の詳細図、目的地の詳細図を少なくとも１つ配置することが好ましい。
【発明の効果】
【００１８】
本発明によれば、インターネットを介してサーバにアクセスすることでコンピュータや携帯端末から目的地を選定したり、あるいは、コンピュータ上で実行されるプログラム処理により目的地を選定したりすることで、１枚の用紙から目的地とその目的地を含む広域地図を表示する複数ページからなる地図帖を生成することができるので、多くの地図情報を含み、かつ携帯性のある地図帖を容易に生成する地図帖生成方法、及び地図帖生成システムを提供することが可能となった。
【００１９】
さらに、本発明によれば、選択地図及びその広域地図に関連する関連情報として、乗り換え案内情報や広告情報に関する情報を含んだ地図帖の提供が可能となった。
【発明を実施するための最良の形態】
【００２０】
図１を用いて、本発明に係る地図帖生成方法及び地図帖生成システムの概要について説明する。インターネット、ＬＡＮ等のネットワーク１０に対して、サーバ２０、コンピュータ３０及びＩＳＰ（インターネット・サービス・プロバイダ）５０がアクセス可能に接続されている。
また、コンピュータ３０は、ＩＳＰ５０を介してネットワーク１０にアクセスし、サーバ２０と各種データの送受信が行えるように構成されている。そして、携帯端末４０は、電話会社６０及び／又はＩＳＰ５０を介してネットワーク１０にアクセスし、サーバ２０及びコンビニエンスストア等に設置されるプリンタ７０と各種データの送受信が行えるように構成されている。
なお、図１では、サーバ２０、コンピュータ３０及び携帯端末４０は、１台ずつ示されているが、これらに限られるものではない。さらに、図１では、ＩＳＰ５０と電話会社６０とは個別に記載されているが、一方が両者の機能を有していても良い。
【００２１】
サーバ２０は、ＣＰＵ等から構成され少なくとも各種データの処理・演算を行う処理部２１、ネットワーク１０との接続を行うための送受信部２２、ディスプレイ等から構成され各種データの表示を行うための表示部２３、テンキーやキーボードから構成される入力部２４、及びメモリやハードディスク等から構成され各種データを記憶するための記憶部２５を有している。さらに、記憶部には、少なくとも、サーバ２０における動作を制御するためのプログラム、及び、複数の縮尺で地図情報を出力するための地図情報テーブルを記憶するデータベースＤＢが格納されている。
【００２２】
上記処理部２１は、選択地図情報取得手段、選択地図情報配置手段、地図帖情報生成手段、及び線情報生成手段として演算処理を実行することが可能である。
上記送受信部２２は、選択地図情報受信手段として機能することが可能である。
【００２３】
なお、データベースＤＢに登録される複数の縮尺で地図情報を出力するための地図情報テーブルは、１／３０００、１／８０００、１／２１０００、１／７５０００、１／１５万、１／３０万、１／９０万、日本全国地図等の縮尺毎の地図情報を格納することができる。
【００２４】
コンピュータ３０は、少なくともインターネットへの接続機能を有しており、更に、ＣＰＵ等から構成され少なくとも各種データの処理・演算を行う処理部３１、ネットワークを介して各種データの送受信を行うための送受信部３２、ディスプレイ等から構成され各種データの表示を行うための表示部３３、テンキー等で構成される入力部３４、メモリ等から構成され各種データを記憶するための記憶部３５、プリンタ３６を有している。
上記処理部３１は、地図帖情報出力手段として機能することが可能である。
【００２５】
また、コンピュータ３０は、記憶部３５には、コンピュータ３０における動作を制御するためのプログラム、及び、上記サーバ２０の地図情報テーブルを記憶するデータベースＤＢを格納し、上記処理部３１は、上記選択地図情報取得手段、選択地図情報配置手段、地図帖情報生成手段、及び線情報生成手段として演算処理を実行することが可能である。
【００２６】
したがって、コンピュータ３０の記憶部３５に、線情報生成手段、地図帖情報生成手段及び選択地図情報受信手段としてコンピュータ３０に機能させる地図帖生成プログラム、及び地図情報テーブルを格納する場合は、コンピュータ３０において上記手段を実行可能であり、格納しない場合は、サーバ２０が実行可能な上記手段をＷｅｂサービスとして利用することができる。
【００２７】
携帯端末４０は、少なくともインターネットへの接続機能を有しており、更に、ＣＰＵ等から構成され少なくとも各種データの処理・演算を行う処理部４１、ネットワークを介して各種データの送受信を行うための送受信部４２、ディスプレイ等から構成され各種データの表示を行うための表示部４３、テンキー等で構成される入力部４４、メモリ等から構成され各種データを記憶するための記憶部４５を有している。
この携帯端末４０、電話会社６０及びＩＳＰ５０を介して、サーバ２０に接続し、地図帖生成システムにアクセス可能である。また、携帯端末４０は、地図帖生成システムにアクセスして取得した地図情報を、ネットワークを介して接続されるコンビニエンスストア等に設置のプリンタ７０で出力し、利用することも可能である。
【００２８】
１枚の用紙データ１００上の線情報で囲まれた分割領域の一例を図２に示す。図２では、１枚の用紙データ１００上に、裏表紙Ｐ８、表紙Ｐ１、１ページ目の地図Ｐ２、２ページ目の地図Ｐ３、３ページ目の地図Ｐ４、４ページ目の地図Ｐ５、５ページ目の地図Ｐ６、６ページ目の地図Ｐ７が配置され、さらに、地図帖を形成するために必要な作業をするための折り目を示す線と、切り込みを入れる線が表示される。
地図帖図面には、１枚の用紙データを８ページに分割するための線情報を生成するための該線情報として、長手方向に１対３の割合で谷折することでページ分割する第１長手分割線１０１、上記長手方向に１：１の割合で山折することでページ分割する第２長手分割線１０２、上記長手方向に３対１の割合で谷折することでページ分割する第３長手分割線１０３、横手方向に１：１の割合で山折することでページ分割する横手分割線１０４、横手分割線と第１及び第３長手分割線の交差点間の線分を切り込むための切り込み線１０５が表示される。
【００２９】
地図情報が配置された地図帖の一例を図３に示す。図３では、Ｐ２に縮尺１／５，０００地図が示される。Ｐ２には、例えば、ユーザがサーバ２０の地図帖生成システムにアクセスして、目的地として選択した周辺の詳細地図が示される。さらに、Ｐ３に、縮尺１／１０，０００地図、Ｐ４に縮尺１／２５，０００地図、Ｐ５に縮尺１／７０，０００地図、Ｐ６に縮尺１／２５０，０００地図、Ｐ７に縮尺１／５００，０００地図が示される。
また、図示のように、Ｐ１〜３、８と、Ｐ４〜７は、横手分割線１０４を境界線として上下逆に選択地図及び／又は広域地図が配置される。これは、横手分割線１０４で山折りすることで、上下が逆になるために地図配置時にあらかじめ上下を逆にする必要があるからである。
このようにすることで、目的地を選定した縮尺の小さな選択地図とその選択地図を含む広域地図を表示する複数ページからなる地図帖が生成可能である。
【００３０】
地図情報が配置された地図帖の一例を図４に示す。図４では、Ｐ２及びＰ３に縮尺１／１５０，０００地図、Ｐ４に、目的地として設定された特許庁を示す縮尺１／３，０００地図、Ｐ５に出発点として設定された吉祥寺駅を示す縮尺１／３，０００地図、Ｐ６及びＰ７に出発地である吉祥寺から、特許庁へ向かうまでの鉄道乗り換え案内が示される地図帖１５０が示される。
また、図示しないが、Ｐ２及びＰ３に示された縮尺１／１５０，０００地図に、交通ルートや、鉄道ルートを表示したり、Ｐ４、Ｐ５に示す縮尺１／３，０００地図に徒歩ルートを表示したり、Ｐ６及びＰ７に示す乗り換え案内に徒歩での歩行時間を表示することも可能である。
【００３１】
このように、本願にかかる地図帖は、８ページというページ数を有するため、地図帖の中に、乗り換え案内や、ナビゲーション機能を加えることで、地図帖の利用性を高めることが可能である。
また、図２〜図４では、Ｐ１に表紙、Ｐ８に裏表紙を配置しているが、この表紙や裏表紙の変わりに、他の縮尺の地図情報や、乗り換え案内の候補等のルート検索に伴って関係を有する付加情報（地図帖に含まれる位置情報に関連する広告やレストランクーポン券等）を配置することも可能である。
【００３２】
折り曲げられた地図帖の一例を図５に示す。図５では、印刷された地図帖をコンピュータ３０又は携帯端末４０のユーザ等が、第１長手分割線１０１、第３長手分割線１０３で谷折りし、第２長手分割線１０２で山折りした後に、切り込み線１０５を切り取った後の地図帖１５０の状態を示す。
【００３３】
折り曲げられた地図帖の一例を図６に示す。図６では、図５に示した地図帖１５０を、横手分割山折線１０４で山折りした後の地図帖１５０の状態を示す。
【００３４】
折り曲げられた地図帖の一例を図７に示す。図７では、図６に示した地図帖１５０を、８ページの地図帖１５０の形状となるように、さらに折り曲げられた例を示す。
このように、図２に示した、第１長手分割線１０１、第３長手分割線１０３で谷折りし、第２長手分割線１０２で山折りし、切り込み線１０５を切り取り、横手分割線１０４を山折りすることで、８ページから構成される情報を豊富に含んだコンパクトで利便性の高い地図帖を容易に作成することが可能である。
なお、図７に示されるような地図帖の形を形成した後は、裏表紙Ｐ８、表紙Ｐ１の間の谷折り線を逆に曲げることで、コンパクトな地図帖を構成することが可能である。
【００３５】
１枚の用紙データ１００上の線情報で囲まれた分割領域の一例を図８に示す。図８では、１枚の用紙データ１００上に、裏表紙Ｐ１２、表紙Ｐ１、１ページ目の地図Ｐ２、２ページ目の地図Ｐ３、３ページ目の地図Ｐ４、４ページ目の地図Ｐ５、５ページ目の地図Ｐ６、６ページ目の地図Ｐ７、７ページ目の地図Ｐ８、８ページ目の地図Ｐ９、９ページ目の地図Ｐ１０、１０ページ目の地図Ｐ１１、が配置され、さらに、地図帖を形成するために必要な作業をするための折り目を示す線と、切り込みを入れる線が表示される。
地図帖図面には、１枚の用紙データを１２ページに分割するための線情報を生成するための該線情報として、長手方向に１対５の割合で谷折することでページ分割する第１長手分割線１０１、上記長手方向に２：４の割合で山折することでページ分割する第２長手分割線１０２、長手方向に３対３の割合で谷折することでページ分割する第３長手分割線１０３、上記長手方向に４：２の割合で山折することでページ分割する第４長手分割線１１１、長手方向に５対１の割合で谷折することでページ分割する第５長手分割線１１２、並びに、横手方向に１：１の割合で山折することでページ分割する横手分割線１０４、横手分割線と第１及び第５長手分割線の交差点間の線分を切り込むための切り込み線１０５が表示される。
【００３６】
図示しないが、図８において示される各ページには、図３に示した縮尺の異なる地図や、図４に示した、出発地や目的地の詳細地図を配置可能である。
【００３７】
１枚の用紙データ１００上の線情報で囲まれた分割領域一例を図９に示す。図９では、１枚の用紙データ１００上に、裏表紙Ｐ（Ｎ＋１）×２［Ｎ：３以上の奇数］、表紙Ｐ１、・・・、（Ｎ−２）ページ目の地図Ｐ（Ｎ−１）、（Ｎ−１）ページ目の地図Ｐ（Ｎ）、Ｎページ目の地図Ｐ（Ｎ＋１）、（Ｎ＋１）ページ目の地図Ｐ（Ｎ＋２）、・・・、（Ｎ＋１）×２−３ページ目の地図Ｐ（Ｎ＋１）×２−２、（Ｎ＋１）×２−２ページ目の地図Ｐ（Ｎ＋１）×２−１、が配置され、さらに、地図帖を形成するために必要な作業をするための折り目を示す線と、切り込みを入れる線が表示される。
地図帖図面には、１枚の用紙データを（Ｎ＋１）×２ページに分割するための線情報を生成するための該線情報として、長手方向に１対Ｎの割合で谷折することでページ分割する第１長手分割線１０１、上記長手方向に２：Ｎ−１の割合で山折することでページ分割する第２長手分割線１０２、・・・、長手方向にＮ−１対２の割合で山折することでページ分割する第（Ｎ−１）長手分割線１２１、上記長手方向にＮ：１の割合で谷折することでページ分割する第Ｎ長手分割線１２２、並びに、横手方向に１：１の割合で山折することでページ分割する横手分割線１０４、横手分割線と第１及び第Ｎ長手分割線の交差点間の線分を切り込むための切り込み線１０５が表示される。
【００３８】
このように、図２及び図８にそれぞれ示した、８ページ分割及び１２ページの分割の地図帖は、図９に示すような３以上の奇数であるＮにより示されるＮ本の長手分割線と（Ｎ＋１）×２ページ数の地図帖として、一般化して示すことが可能である。
したがって、本発明は、図２及び図８で示したような８ページ及び１２ページの地図帖に限定されず、１２ページ以上の多ページ数で構成される地図帖を生成することが可能である。
【００３９】
また、図２〜９では、ユーザが地図帖を生成するためのガイドラインとしての線情報が表されているが、本発明は、ガイドラインとして線に限定するものではなく、上記長手分割線及び横手分割線の始端及び終端部分のみにマークすることで、ガイドラインを表すことも可能である。
【００４０】
以下、図１０を用いて、本発明に係る地図帖生成システムの処理フローの一例について説明する。
最初に、コンピュータ３０は、地図帖生成システムの地図情報にアクセスし、コンピュータ３０の表示部３３から、入力部３４において目的地を入力し、その目的地で検索することで地図情報テーブルＤＢから選択された選択地図情報を送受信部３２からサーバ２０に送信する（ステップ２０１）。この選択地図（例えば、縮尺１／３０００）には、その選択地図を含む広域地図（例えば、縮尺１／１０，０００地図、縮尺１／２５，０００地図、縮尺１／７０，０００地図、縮尺１／２５０，０００地図、縮尺１／５００，０００地図）も同時に選択可能である。次に、サーバ２０の送受信部２２は、選択地図情報を受信する（ステップ２０２）。
【００４１】
サーバ２０は、図２で示した線情報を生成する（ステップ２０３）。なお、ユーザは、地図帖作成のために、最初は折り曲げのガイドラインとなる線情報を必要とするが、それらの情報はユーザが慣れてくると不要となったり、デザイン的にも印刷したくない場合もある。そのため、ステップ２０２での選択地図情報内に線情報生成の選択情報を含むことで、ステップ２０３で線情報の生成印刷を行わないという選択も可能である。さらに、サーバ２０は、例えば、図３に示すように、Ｐ２〜Ｐ７に、横手分割線１０４を境界線として上下逆に選択地図及び／又は広域地図を配置した地図帖情報を生成する（ステップ２０４）。
【００４２】
次に、サーバ２０は、生成した地図帖図面情報を、送受信部２２を利用して、コンピュータ３０に送信する（ステップ２０５）。
【００４３】
そして、コンピュータ３０は、送受信部３２で受信して（ステップ２０６）で受信された地図帖図面情報を、処理部３１がプリンタ３４を用いて印刷し（ステップ２０７）、当該処理フローは終了する。
【００４４】
以下、図１１を用いて、本発明に係る地図帖生成システムの処理フローの一例について説明する。
最初に、コンピュータ３０は、記憶部３５に記憶された地図帖生成システムの地図情報にアクセスし、コンピュータ３０の表示部３３から、入力部３４において目的地を入力し、その目的地で地図情報テーブルＤＢを検索することで、地図情報テーブルＤＢから選択された選択地図情報を取得する（ステップ３０１）。この選択地図（例えば、縮尺１／３０００）には、その選択地図を含む広域地図（例えば、縮尺１／１０，０００地図、縮尺１／２５，０００地図、縮尺１／７０，０００地図、縮尺１／２５０，０００地図、縮尺１／５００，０００地図）も同時に選択可能である。
【００４５】
コンピュータ３０は、図２で示した線情報を生成する（ステップ３０２）。なお、ユーザは、地図帖作成のために、最初は折り曲げのガイドラインとなる線情報を必要とするが、それらの情報はユーザが慣れてくると不要となったり、デザイン的にも印刷したくない場合もある。そのため、ステップ３０１での選択地図情報内に線情報生成の選択情報を含むことで、ステップ３０２で線情報の生成印刷を行わないという選択も可能である。さらに、コンピュータ３０は、例えば、図３に示すように、Ｐ２〜Ｐ７に、横手分割線１０４を境界線として上下逆に選択地図及び／又は広域地図を配置した地図帖情報を生成する（ステップ３０３）。
【００４６】
そして、コンピュータ３０は、生成された地図帖図面情報を、処理部３１がプリンタ３４を用いて印刷し（ステップ３０４）、当該処理フローは終了する。
【００４７】
以下、図１２を用いて、本発明に係る地図帖生成システムの処理フローの一例について説明する。
最初に、コンピュータ３０は、地図帖生成システムの地図情報にアクセスし、コンピュータ３０の表示部３３から、入力部３４において出発地及び目的地を入力し、その出発地および目的地をサーバ２０に送信する（ステップ４０１）。
【００４８】
サーバ２０は、コンピュータ３０から出発地と目的地の情報を受信する（ステップ４０２）。その後、サーバ２０は、地図情報テーブルＤＢを参照することで、上記出発地及び目的地のルート検索する処理を実施する（ステップ４０３）。次に、サーバ２０は、図２で示した線情報を生成する（ステップ４０４）。なお、ユーザは、地図帖作成のために、最初は折り曲げのガイドラインとなる線情報を必要とするが、それらの情報はユーザが慣れてくると不要となったり、デザイン的にも印刷したくない場合もある。そのため、ステップ４０２で受信される情報として出発地と目的地情報に線情報生成の選択情報を加えることで、ステップ４０４で線情報の生成印刷を行わないという選択も可能である。
【００４９】
さらに、サーバ２０は、図４に示すように、出発地、目的地及び検索ルートを包含する地図を生成しＰ２、Ｐ３に配置する（ステップ４０５）。次に、サーバ２０は、図４に示すように、横手分割線１０４を境界線としてＰ１〜３、８と上下逆に出発地の詳細図をＰ４に配置し（ステップ４０６）、横手分割線１０４を境界線としてＰ１〜３、８と上下逆に目的地の詳細図をＰ５に配置する（ステップ４０７）。そして、サーバ２０は、図４に示すように、地図情報テーブルＤＢを参照し検索することで得た乗換案内を含むルート検索情報を、横手分割線１０４を境界線としてＰ１〜３、８と上下逆にＰ６とＰ７に配置する（ステップ４０８）。
【００５０】
次に、サーバ２０は、図４に示すように、表紙及び裏表紙をＰ１及びＰ８にそれぞれ配置（デフォルトの表紙にタイトル（例えば、「“出発地”から“目的地”までのルート地図」等を配置しても良い）し（ステップ４０９）、上記ステップ４０３〜４０９により作成した地図帖情報を、送受信部２２を利用して、コンピュータ３０に送信する（ステップ４１０）。
【００５１】
そして、コンピュータ３０は、送受信部３２で地図帖情報を受信して（ステップ４１１）、処理部３１がプリンタ３４を用いて受信した地図帖情報を印刷し（ステップ２１２）、当該処理フローは終了する。
【００５２】
以下、図１３を用いて、本発明に係る地図帖生成システムの処理フローの一例について説明する。
最初に、コンピュータ３０は、地図帖生成システムの地図情報にアクセスし、コンピュータ３０の表示部３３から、入力部３４において出発地及び目的地を入力し、その出発地および目的地を取得する（ステップ５０１）。
【００５３】
コンピュータ３０は、地図情報テーブルＤＢを参照することで、上記出発地及び目的地のルート検索する処理を実施する（ステップ５０２）。次に、コンピュータ３０は、図２で示した線情報を生成する（ステップ５０３）。なお、ユーザは、地図帖作成のために、最初は折り曲げのガイドラインとなる線情報を必要とするが、それらの情報はユーザが慣れてくると不要となったり、デザイン的にも印刷したくない場合もある。そのため、ステップ５０１で取得される情報として出発地と目的地情報に線情報生成の選択情報を加えることで、ステップ５０３で線情報の生成印刷を行わないという選択も可能である。
【００５４】
さらに、コンピュータ３０は、図４に示すように、出発地、目的地及び検索ルートを包含する地図を生成しＰ２、Ｐ３に配置する（ステップ５０４）。次に、コンピュータ３０は、図４に示すように、横手分割線１０４を境界線としてＰ１〜３、８と上下逆に出発地の詳細図をＰ４に配置し（ステップ５０５）、横手分割線１０４を境界線としてＰ１〜３、８と上下逆に目的地の詳細図をＰ５に配置する（ステップ５０６）。そして、コンピュータ３０は、図４に示すように、地図情報テーブルＤＢを参照し検索することで得た乗換案内を含むルート検索情報を、横手分割線１０４を境界線としてＰ１〜３、８と上下逆にＰ６とＰ７に配置する（ステップ５０７）。
【００５５】
次に、コンピュータ３０は、図４に示すように、表紙及び裏表紙をＰ１及びＰ８にそれぞれ配置し（デフォルトの表紙にタイトル（例えば、「“出発地”から“目的地”までのルート地図」等を配置しても良い）（ステップ５０８）作成した地図帖情報を、処理部３１がプリンタ３４を用いて受信した地図帖情報を印刷し（ステップ５０９）、当該処理フローは終了する。
【００５６】
なお、図１０及び１２の処理フローにおいて説明されたコンピュータ３０に代わり、携帯端末４０を使用してもよい。その場合、地図帖情報の印刷は、コンビニエンスストア等に配置されるプリンタ７０から地図帖図面情報が出力されても良い。
【００５７】
そして、図１０〜図１３で示した処理フローによって印刷された図３、４等の地図帖は、ユーザが、線情報にしたがって（上述したように地図帖作成に慣れたユーザは、線情報を必要とせずに）、図７のような地図帖を作成する。
【００５８】
なお、図示しないが、図８及び図９のような８ページを超えるページ数の地図帖であっても、図１０〜１３で示したような処理フローにより、８ページ超の地図帖のページのいずれかに、図３及び図４に表されるような地図情報や検索ルートなどが配置されることで、地図帖情報が生成され、そして印刷される。
【００５９】
このように、本実施例による地図帖生成システムは、インターネットを介してサーバにアクセスすることでコンピュータや携帯端末から目的地を選定したり、あるいは、コンピュータ上で実行されるプログラム処理により目的地を選定したりすることで、１枚の用紙から目的地とその目的地を含む広域地図を表示する複数ページからなる地図帖を生成することができるので、多くの地図情報を含み、かつ携帯性のある地図帖を容易に生成することが可能となった。
【図面の簡単な説明】
【００６０】
【図１】本発明に係る地図帖生成方法及び地図帖生成システムの概要を示す図である。
【図２】１枚の用紙データ上の線情報の一例を示す図である。
【図３】地図情報が配置された地図帖図面の一例を示す図である。
【図４】地図情報が配置された地図帖図面の一例を示す図である。
【図５】折り曲げられた地図帖図面の一例を示す図である。
【図６】折り曲げられた地図帖図面の一例を示す図である。
【図７】折り曲げられた地図帖図面の一例を示す図である。
【図８】１枚の用紙データ上の線情報で囲まれた分割領域の一例を示す図である。
【図９】１枚の用紙データ上の線情報で囲まれた分割領域の一例を示す図である。
【図１０】本発明に係る地図帖生成システムの処理フローの一例を示す図である。
【図１１】本発明に係る地図帖生成システムの処理フローの一例を示す図である。
【図１２】本発明に係る地図帖生成システムの処理フローの一例を示す図である。
【図１３】本発明に係る地図帖生成システムの処理フローの一例を示す図である。
【符号の説明】
【００６１】
１０    ネットワーク
２０    サーバ
３０    コンピュータ
４０    携帯端末
５０    ＩＳＰ
６０    電話会社
７０    プリンタ
【図１】
2008275680.tif 000003
【図２】
2008275680.tif 000004
【図５】
2008275680.tif 000005
【図６】
2008275680.tif 000006
【図７】
2008275680.tif 000007
【図８】
2008275680.tif 000008
【図９】
2008275680.tif 000009
【図１０】
2008275680.tif 000010
【図１１】
2008275680.tif 000011
【図１２】
2008275680.tif 000012
【図１３】
2008275680.tif 000013
【図３】
2008275680.tif 000014
【図４】
2008275680.tif 000015